(57)【要約】      （修正有）【課題】風車のタワーの内部をリング状に包囲するフランジ接続に沿って配置されたねじ接続を締め付けるための装置を提供する。【解決手段】各ねじ接続１０は、ねじ山付きエレメント１１と、前記ねじ山付きエレメントに螺合させられたナット１２とから構成されており、ナット１２は、フランジ接続７の第１の側に対して支持されており、ねじ山付きエレメント１１は、フランジ接続７の第２の側に対して支持されており、装置はフランジ接続７に沿って可動でありかつ電気トラクションドライブが設けられたツールキャリア２０と、ねじ接続を締め付けかつナット１２を回転させるために機能するツールと、トラクションドライブ制御信号によって、ツールキャリア２０を、ツールが、ねじ接続１０と対向して配置される作動位置へ移動させ、かつツール制御信号によってねじ接続１０の締付けおよびナットの回転を制御する制御ユニット４とを有する。【選択図】図１
2019171564.tif 000002
【特許請求の範囲】
【請求項１】
スペース、好ましくは風車のタワーの内部、をリング状に包囲するフランジ接続（７）に沿って配置されたねじ接続を締め付けるための装置であって、各ねじ接続（１０）は、ねじ山付きエレメント（１１）と、該ねじ山付きエレメントに螺合させられたナット（１２）とから構成されており、該ナット（１２）は、前記フランジ接続の第１の側に対して支持されており、前記ねじ山付きエレメント（１１）は、前記フランジ接続の第２の側に対して支持されており、前記装置は、
−前記フランジ接続（７）に沿って可動でありかつ好ましくは電気トラクションドライブが設けられたツールキャリア（２０）と、
−該ツールキャリア（２０）に配置されておりかつ前記ねじ接続を締め付けかつ前記ナットを前記フランジ接続に対して回転させるために機能するツール（５）と、
−トラクションドライブ制御信号によって、前記ツールキャリア（２０）を、前記ツール（５）が、それぞれ締め付けられるべき前記ねじ接続と対向して配置される作動位置へ移動させ、かつツール制御信号によって前記ねじ接続の締付けおよび前記ナットの回転を制御するように設計された、制御ユニット（４）と、を有する、装置において、
前記ツールキャリア（２０）において、前記ツール（５）に加えて、前記ねじ山付きエレメント（１１）に対して当接させることができる少なくとも１つのカウンター保持面（７５，７５Ａ，７５Ｂ）を備える保持ツール（７０）が配置されており、前記ツールキャリア（２０）には、休止位置と、前記カウンター保持面（７５，７５Ａ，７５Ｂ）が前記ねじ山付きエレメント（１１）に対して当接するカウンター保持位置との間の前記保持ツール（７０）の前後移動のための駆動装置（７７）が設けられており、前記制御ユニット（４）は、加えて、保持ツール制御信号によって、前記保持ツール（７０）の前記駆動装置（７７）を制御するように設計されていることを特徴とする、装置。
【請求項２】
前記ねじ接続を締め付けるために、該ねじ接続の前記ねじ山付きエレメント（１１）には、前記フランジ接続（７）の第２の側において、少なくとも１つの平坦部が設けられており、前記カウンター保持面（７５）は、前記平坦部に対して面で当接するように設計されていることを特徴とする、請求項１記載の装置。
【請求項３】
前記保持ツール（７０）は、互いに面した２つの互いに平行なカウンター保持面（７５）を有することを特徴とする、請求項２記載の装置。
【請求項４】
２つの前記カウンター保持面（７５）は、開放式スパナのツール面であることを特徴とする、請求項３記載の装置。
【請求項５】
前記保持ツール（７０）は、互いに反対向きの、２つの好ましくは互いに平行なカウンター保持面を有することを特徴とする、請求項２記載の装置。
【請求項６】
一緒に多角形リングスパナを形成する複数のカウンター保持面が、前記保持ツール（７０）に形成されていることを特徴とする、請求項２記載の装置。
【請求項７】
前記保持ツール（７０）の前記駆動装置（７７）の駆動方向は、前記ねじ接続（１０）の長手方向範囲に関して横方向に延びていることを特徴とする、請求項１から６までのいずれか１項記載の装置。
【請求項８】
前記保持ツール（７０）の前記駆動装置（７７）の駆動方向は、前記ねじ接続（１０）の長手方向軸線に対して平行に延びていることを特徴とする、請求項１から６までのいずれか１項記載の装置。
【請求項９】
前記保持ツール（７０）は、駆動側において前記駆動装置（７７）に接続されたツール本体（７８）と、少なくとも１つのカウンター保持面（７５）を有するツール部分（７９）とを有することを特徴とする、請求項２から８までのいずれか１項記載の装置。
【請求項１０】
前記ツールキャリア（２０）には、該ツールキャリア（２０）の可動性のために、前記ツールキャリア（２０）の起立平面（Ｅ）を規定する回転可能に取り付けられたローラ（２１Ａ，２１Ｂ）が設けられており、前記保持ツール（７０）のための前記駆動装置（７７）は、前記起立平面（Ｅ）の上方に配置されており、前記保持ツールの前記ツール本体（７８）は、前記起立平面（Ｅ）を越えて前記ツール部分（７９）まで下方へ延びていることを特徴とする、請求項９記載の装置。
【請求項１１】
前記ツール部分（７９）は、ばね（８０）の力に逆らって前記ツール本体（７８）において可動に案内され、この場合、移動方向は、前記保持ツール（７０）の前後移動の方向と同じであることを特徴とする、請求項９または１０記載の装置。
【請求項１２】
前記ツール部分（７９）は、前記保持ツール（７０）の静止位置において、前記ツール部分（７９）におけるストッパが前記ばね（８０）の力により前記ツール本体（７８）におけるストッパに対して支持されるような前記ツール本体（７８）における位置に配置されることを特徴とする、請求項１１記載の装置。
【請求項１３】
前記保持ツール（７０）の前後移動のための前記駆動装置（７７）は、歯付きラック駆動装置の形式であることを特徴とする、請求項１から１２までのいずれか１項記載の装置。
【請求項１４】
前記ツールホルダ（２０）の前記トラクションドライブおよび前記保持ツール（７０）の前記駆動装置（７７）は、それぞれ独立しているが、両方とも同じ前記制御ユニット（４）からの信号によって制御されることを特徴とする、請求項１から１３までのいずれか１項記載の装置。
【請求項１５】
前記ツールキャリア（２０）から空間的に別個に位置決めすることができかつ前記トラクションドライブ、前記ツール（５）および前記保持ツール（７０）にエネルギを供給するために機能するエネルギモジュール（８８）を有し、少なくともその長さの一部にわたって柔軟なエネルギ供給ラインが、前記エネルギモジュール（８８）から前記ツールキャリア（２０）まで通じていることを特徴とする、請求項１から１４までのいずれか１項記載の装置。
【請求項１６】
前記制御ユニット（４）は前記エネルギモジュール（８８）に配置されているまたは該エネルギモジュール（８８）と一緒にキャリアに配置されており、前記トラクションドライブ制御信号、前記ツール制御信号および前記保持ツール制御信号の伝送のために、電気信号ラインが前記制御ユニット（４）から前記ツールキャリア（２０）まで通じており、前記信号ラインは、少なくともその長さの一部にわたって、前記エネルギ供給ラインに機械的に接続されている、請求項１５記載の装置。
【請求項１７】
前記装置は、さらに、１つまたは複数の鉛直方向旋回軸線を備える旋回可能なスタンド（９５）を有し、該スタンド（９５）には、該スタンド（９５）の固定のための固定手段が設けられており、前記エネルギ供給ラインの長手方向部分は、前記スタンド（９５）に取り付けられていることを特徴とする、請求項１５または１６記載の装置。
【請求項１８】
前記旋回可能なスタンド（９５）は、少なくとも約３６０°の回転角度にわたって前記エネルギ供給ラインを支持するように設計されていることを特徴とする、請求項１７記載の装置。
【請求項１９】
前記ツールキャリア（２０）は、前記エネルギ供給ラインのためのリードスルーを有しており、該リードスルーは、好ましくは前記ツールキャリア（２０）の移動方向に、前記ツールキャリア（２０）に可動に配置されたスライド（９６）に配置されていることを特徴とする、請求項１５から１８までのいずれか１項記載の装置。
【請求項２０】
前記保持ツール（７０）は、圧力が加えられると互いに向かって可動な２つのカウンター保持面（７５Ａ，７５Ｂ）を有し、該カウンター保持面（７５Ａ，７５Ｂ）はそれぞれシェルとして構成されており、該シェルの半径は、実質的に前記ねじ山付きエレメント（１１）のねじ山付き部分の半径と等しいことを特徴とする、請求項１，７，１３，１４または１５記載の装置。
【請求項２１】
前記ねじ山付き部分に対する摩擦抵抗を増大させるために、前記カウンター保持面（７５Ａ，７５Ｂ）には、例えばゴムから成る摩擦ライニングまたは非平滑面が設けられていることを特徴とする、請求項２０記載の装置。
【請求項２２】
前記保持ツール（７０）は、前記ツール（５）における少なくとも１つの開口（１３１）を通って延びており、前記保持ツール（７０）の前記カウンター保持面（７５Ａ，７５Ｂ）は前記ツール（５）内に配置されていることを特徴とする、請求項２０または２１記載の装置。
【請求項２３】
前記ツール（５）の構成部分は、支持管（１０１）であり、該支持管（１０１）の底側（１０２）によって、前記ツール（５）を前記フランジ接続に支持することができ、前記少なくとも１つの開口（１３１）は前記支持管（１０１）に配置されており、前記少なくとも１つの開口（１３１）を通って前記保持ツール（７０）が延びており、前記開口（１３１）は前記底側（１０２）まで連続的に延びていることを特徴とする、請求項２２記載の装置。
【請求項２４】
スペース、好ましくは風車のタワーの内部、をリング状に包囲するフランジ接続（７）に沿って配置されたねじ接続を締め付けるための装置であって、そのうちの各ねじ接続（１０）は、ねじ山付きエレメント（１１）と、該ねじ山付きエレメントに螺合させられたナット（１２）とから構成されており、該ナット（１２）は、前記フランジ接続の第１の側に対して支持されており、前記ねじ山付きエレメント（１１）は、前記フランジ接続の第２の側に対して支持されており、前記装置は、
−前記フランジ接続（７）に沿って可動でありかつ好ましくは電気トラクションドライブが設けられたツールキャリア（２０）と、
−該ツールキャリア（２０）に配置されておりかつ前記ねじ接続を締め付けかつ前記ナットを前記フランジ接続に対して回転させるために機能するツール（５）と、
−トラクションドライブ制御信号によって、前記ツールキャリア（２０）を、前記ツール（５）が、それぞれ締め付けられるべき前記ねじ接続と対向して配置される作動位置へ移動させ、かつツール制御信号によって前記ねじ接続の締付けおよび前記ナットの回転を制御するように設計された、制御ユニット（４）と、を有する、装置において、
前記ツール（５）は、液圧式ねじテンショニングシリンダであり、液圧作動チャンバ（１１８）を包囲するシリンダハウジング（１００）を有し、該シリンダハウジング（１００）において回転可能に配置されておりかつ雌ねじ山（１１６）によって前記ねじ山付きエレメント（１１）に螺合させることができる交換可能なソケット（１１４）を有し、該交換可能なソケット（１１４）を回転させるための駆動装置（５１）を有し、前記ねじ山付きエレメント（１１）に一体的に形成された多角形（１１Ｂ）に対して支持させることができる保持ツール（７０）を有し、該保持ツール（７０）は、前記シリンダハウジング（１００）内で長手方向に案内されかつ前記シリンダハウジング（１００）に対して回転方向で固定されていることを特徴とする、装置。
【請求項２５】
前記保持ツール（７０）は、ばね力を受けながら平坦部に対して支持されていることを特徴とする、請求項２４記載の装置。
【請求項２６】
一方の側において前記保持ツール（７０）に、他方の側において前記交換可能なソケット（１１４）に支持されているばねエレメント（１４７）を有することを特徴とする、請求項２５記載の装置。
【請求項２７】
前記交換可能なソケット（１１４）を通って案内されておりかつ前記交換可能なソケット（１１４）に対して回転可能でありかつその一方の端部において保持ツール（７０）が設けられておりかつその他方の端部の領域において、ロッド（１４０）を前記シリンダハウジング（１００）に対して回転方向で固定された状態に保持する回転防止固定手段（１４１）が設けられている、ロッド（１４０）を有することを特徴とする、請求項２４から２６までのいずれか１項記載の装置。
【請求項２８】
前記駆動装置（５１）と前記交換可能なソケット（１１４）との間の駆動パスにギアリング（１４８）を有し、該ギアリング（１４８）の構成部分は、前記交換可能なソケット（１１４）に対して回転方向で固定された歯付きギア（１４９）であり、該歯付きギア（１４９）には通過開口（１５０）が設けられており、該通過開口（１５０）を通って前記ロッド（１４０）が延びていることを特徴とする、請求項２４から２７までのいずれか１項記載の装置。
【請求項２９】
前記ツール（５）の構成部分は、前記シリンダハウジング（１００）に回転可能に配置されかつ前記ナット（１２）を回転させるために機能する回転スリーブ（１１０）であることを特徴とする、請求項２４から２８までのいずれか１項記載の装置。
【発明の詳細な説明】
【技術分野】
【０００１】
本発明は、スペース、好ましくは風車のタワーの内部、をリング状に包囲するフランジ接続に沿って配置されたねじ接続を締め付けるための装置であって、各ねじ接続は、ねじ山付きエレメントと、前記ねじ山付きエレメントに螺合させられたナットとから構成されており、ナットは、フランジ接続の第１の側に対して支持されており、ねじ山付きエレメントは、フランジ接続の第２の側に対して支持されており、装置は、
−フランジ接続に沿って可動でありかつ好ましくは電気トラクションドライブが設けられたツールキャリアと、
−ツールキャリアに配置されておりかつねじ接続を締め付けかつナットをフランジ接続に対して回転させるために機能するツールと、
−トラクションドライブ制御信号によって、ツールキャリアを、ツールが、それぞれ締め付けられるべきねじ接続と対向して配置される作動位置へ移動させ、かつツール制御信号によってねじ接続の締付けおよびナットの回転を制御するように設計された、制御ユニットと、を有する、装置に関する。
【０００２】
これらの特徴を有する装置は、欧州特許出願公開第３１９５９９１号明細書より公知である。前記装置は、フランジに沿って一列に配置されたねじ接続を順次に締め付けるために機能する。各個々のねじ接続は、下方からフランジに対して、半径方向に拡大したボルトヘッドによって支持されたねじボルトの形式のねじ山付きエレメントと、ねじボルトのねじ山付き部分に螺合させられたねじ山付きナットとから形成されており、ナットは上方からフランジに支持されている。ねじ接続の締付けまたは再締付けは、ナットがねじ山に沿って再調節されることによって行われる。これは、自己推進車両に配置されたツールを使用して行われる。位置センサと、前記センサによって得られた位置信号とによって、ツールが配置された車両は、ツールが、ねじボルトおよびねじ山付きナットのねじ接続軸線と正確に軸方向で整列して配置されたことがセンサ信号から判定されるまで、制御された形式で移動させられる。この目的のために、位置センサの位置信号は、制御技術によって、車両の駆動のための信号に処理される。制御装置は、さらに、締付けプロセスを制御するように設計されている。
【０００３】
個々のねじ接続が順次に締め付けられる公知の締付けまたは再締付けプロセスの場合の欠点は、ナットの再締付けの間のねじ山付きエレメントの望ましくないスピニングの場合のための手段を有さないということである。この問題に対する解決手段を提供することがその意図である。
【０００４】
これは、請求項１によれば、ツールキャリアにおいて、ツールに加えて、ねじ山付きエレメントに対して当接させることができる少なくとも１つのカウンター保持面を備える保持ツールが配置されており、ツールキャリアには、休止位置と、カウンター保持面がねじ山付きエレメントに対して当接するカウンター保持位置との間の保持ツールの前後移動のための駆動装置が設けられており、制御ユニットは、加えて、保持ツール制御信号によって、保持ツールの駆動装置を制御するように設計されていることにある。
【０００５】
請求項２４による代替的な解決手段は、ツールが、液圧式ねじテンショニングシリンダであり、液圧作動チャンバを包囲するシリンダハウジングを有し、シリンダハウジングにおいて回転可能に配置されておりかつ雌ねじ山によってねじ山付きエレメントに螺合させることができる交換可能なソケットを有し、交換可能なソケットを回転させるための駆動装置を有し、ねじ山付きエレメントに一体的に形成された多角形に対して支持させることができる保持ツールを有し、保持ツールは、シリンダハウジング内で長手方向に案内されかつシリンダハウジングに対して回転方向で固定されている、ことにある。
【０００６】
装置の有利であるが、必須ではない改良は、それぞれの従属請求項に明示されている。
【０００７】
したがって、ねじ接続を締め付けるために、ねじ接続のねじ山付きエレメントには、フランジ接続の第２の側において、少なくとも１つの平坦部が設けられており、カウンター保持面は、少なくとも１つの平坦部に対して面で当接するように設計されていることが提案される。
【０００８】
ねじ山付きエレメントの平坦部に関する改良されたポジティブロッキングのために、保持ツールは、互いに面した、２つの互いに平行なカウンター保持面を有し、これにより、ねじ山付きエレメントに設けられた正方形または六角形が連動して回転することを防止することが提案される。カウンター保持面は、例えば、開放式スパナのツール面である。
【０００９】
代替的な構成において、保持ツールは、互いに反対向きの、２つの、好ましくは互いに平行なカウンター保持面を有してもよく、これにより、これらの２つの面と共に、２つの隣接するねじ山付きエレメントの、半径方向に拡大した部分に配置された２つの隣接する正方形または六角形の間の空間内へ移動することができ、これにより、連動した回転に対して前記ねじ山付きエレメントをブロックする。
【００１０】
好ましくは、これは、装置の観点から実現するのに最も容易な変形態様であるため、保持ツールの駆動は、ねじ接続の長手方向範囲に関して横方向に生じる。
【００１１】
しかしながら、駆動は、保持ツールが鉛直方向移動を行うように構成されてもよい。
【００１２】
保持ツールは、好ましくは、駆動側において駆動装置に接続されたツール本体と、少なくとも１つのカウンター保持面を有するツール部分とを有する。ツール本体は、比較的遠くまで下方へ延びている。ツールキャリアに、その可動性のために、ツールキャリアの起立平面を規定する回転可能に取り付けられたローラが設けられているならば、保持ツールのための駆動装置は起立平面の上方に配置され、保持ツールのツール本体は、起立平面を越えてツール部分まで下方へ延びている。
【００１３】
ツール部分がばねの力に逆らってツール本体において可動に案内されると有利であり、この場合、移動方向は保持ツールの前後移動の方向と同じである。好ましくは、ツール部分は、保持ツールの静止位置において、ツール部分におけるストッパがばねの力によりツール本体におけるストッパに対して支持されるようなツール本体における位置に配置される。
【００１４】
好ましくは、ツールホルダのトラクションドライブおよび保持ツールの駆動装置はそれぞれ独立しているが、これらは両方とも同じ制御ユニットからの信号によって制御される。
【００１５】
ツールキャリアから空間的に別個に位置決めすることができかつトラクションドライブ、ツールおよび保持ツールにエネルギを供給するために機能するエネルギモジュールも提案されており、少なくともその長さの一部にわたって柔軟なエネルギ供給ラインが、エネルギモジュールからツールキャリアまで通じている。この場合、制御ユニットも、好ましくは、エネルギモジュールに配置されているまたはエネルギモジュールと共にキャリアに配置されている。
【００１６】
トラクションドライブ制御信号、ツール制御信号および保持ツール制御信号の伝送のために、電気信号ラインが制御ユニットからツールキャリアまで通じていてもよい。信号ラインは、少なくともその長さの一部にわたってエネルギ供給ラインに機械的に接続されている。
【００１７】
装置において使用されるツールは、ねじテンショニングシリンダ、液圧トルクドライバまたは電気スクリュドライバであってもよい。
【００１８】
特に有利であり得ることは、実質的にねじれがないように作動する、ねじ接続を締め付けるための作業方法である。このような締付けは、例えば、ねじテンショニングシリンダの形式のツールによって許される。このようなねじテンショニングシリンダは公知である。ねじテンショニングシリンダは、一般的に液圧力を用いて作動し、液圧作動チャンバを包囲したシリンダハウジングと、交換可能ソケットとが設けられている。交換可能ソケットは、シリンダハウジングに回転可能に配置されており、ねじ接続のねじ山付き端部と一緒に螺合させることができる。前記タイプのねじテンショニングシリンダの別の構成部分は、ねじ接続のねじ山付きエレメントが液圧によって僅かに拡張させられながらナットをポジティブロッキング形式で駆動、すなわち回転させるための回転スリーブである。
【００１９】
ねじテンショニングシリンダがツールとして使用される場合、ねじテンショニングシリンダには、交換可能なソケットを回転させるための電気駆動装置が設けられている。さらに、ねじテンショニングシリンダには、第２の電気駆動装置が設けられていてもよい。これは、回転スリーブを回転させ、ひいてはナットを締め付けることを担い、加えて、ツールキャリアに対するねじテンショニングシリンダの鉛直方向調節のためにも設計されている。
【００２０】
多数のねじ接続および３０００ｂａｒ以下の高い圧力により重い、装置の補助アセンブリ、特にエネルギモジュールは、ツールキャリアに配置されているのではなく、空間的に別個に配置されている。したがって、エネルギモジュールは、トラクションドライブ、ツールおよび保持ツールへのエネルギの供給を確実に保証することができ、少なくともその長さの一部にわたって柔軟なエネルギ供給ラインが、エネルギモジュールからツールキャリアまで通じている。装置の別の実施の形態によれば、制御ユニットも、エネルギモジュールに配置されており、例えばエネルギモジュールと一緒にキャリアに配置されている。
【００２１】
トラクションドライブ制御信号、ツール制御信号および保持ツール制御信号の伝送のために、電気信号ラインが制御ユニットからツールキャリアまで通じていてもよく、信号ラインは、少なくともその長さの一部にわたってエネルギ供給ラインに機械的に接続されていてもよい。
【００２２】
装置は、さらに、１つまたは複数の鉛直方向の旋回軸線を備える旋回可能なスタンドを有してもよい。スタンドには、スタンドの位置的に固定された取付けのための取付け手段が設けられている。エネルギ供給ラインの長手方向部分はスタンドに取り付けられている。旋回可能なスタンドは、好ましくは、少なくとも約３６０°の回転角度にわたってエネルギ供給ラインを支持するように設計されている。
【００２３】
好ましくは共通のハウジングにおける制御ユニットと組み合わされたドキュメンテーションモジュールも提案される。前記ドキュメンテーションモジュールには、締め付けられる各ねじ接続のためのデータセットが記憶されている。データセットは、
それぞれのねじ接続の個々の識別子であって、前記識別子は、それぞれのねじ接続におけるバーコードスキャンまたはＲＦＩＤタグによって検出されるまたは識別子は、代替的に、フランジ接続におけるそれぞれのねじ接続の位置によって決定される、個々の識別子、
および／またはツールの実際に使用される締付力、
および／またはナットによってカバーされる、フランジ接続に対する回転角度、
および／または締付けプロセスの間に測定されたねじ山付きエレメントの長さの変化、を含む。
【００２４】
１つまたは複数の鉛直方向の旋回軸線を備える旋回可能なスタンドも提案され、スタンドは、スタンドの位置的に固定された取付けのための取付け手段を具備し、エネルギ供給ラインの長手方向部分はスタンドに取り付けられている。
【００２５】
旋回可能なスタンドは、好ましくは、少なくとも約３６０°の回転角度にわたってエネルギ供給ラインを支持するように設計されている。
【００２６】
ツールキャリアは、好ましくは、エネルギ供給ラインのためのリードスルーを有し、リードスルーは、好ましくはツールキャリアの移動方向に可動にツールキャリアに配置されたスライドに配置されている。
【００２７】
保持ツールの代替的な実施の形態では、カウンター保持作用は、ねじ山付きエレメントのねじ山付き部分における支持によって直接的に実現される。このために、保持ツールは、圧力が加えられると互いに向かって可動な２つのカウンター保持面を有し、カウンター保持面はそれぞれシェルとして構成されており、シェルの半径は、実質的にねじ山付きエレメントのねじ山付き部分の半径と等しいことが提案される。
【００２８】
この実施の形態の場合の高い圧力により、摩擦を増大させるための手段が好都合である。したがって、ねじ山付き部分に対するカウンター保持面の摩擦抵抗を増大させるために、カウンター保持面には、例えばゴムから成る摩擦ライニングまたは非平滑面が設けられていることが提案される。
【００２９】
別の実施の形態では、保持ツールおよびツールは互いに組み合わされている。ここでは、保持ツールは、ツールにおける少なくとも１つの開口を通って延びており、保持ツールのカウンター保持面はツール内に配置されている。ツールの構成部分は、好ましくは、支持管であり、支持管の底側によってツールをフランジ接続に支持することができる。この場合に保持ツールが通って延びる少なくとも１つの開口は、底側まで連続して延びている。
【００３０】
その他の詳細および利点は、図面に示された典型的な実施の形態の以下の説明から明らかになる。
【図面の簡単な説明】
【００３１】
【図１】風車のタワーの、２つの接続されたリング状部分の斜視図であり、当該部分の半分だけが、前記部分が複数のねじ接続を備えるリング状フランジ接続によって接続されているタワーの長さにわたって、示されている。
【図２】水平方向断面図を示しており、この場合、リング状タワー部分の全周が示されている。
【図３】ねじ接続を締め付けるための装置の、キャリッジの形式の可動ユニットを斜視図で示している。
【図４】可動ユニットを１つの視点で示している。
【図５】可動ユニットを平面図で示している。
【図６】詳細な図において、可動ユニットに配置されたスタンドを、前記スタンドに配置されたツールを含めて示している。
【図７】スタンドを１つの視点で示している。
【図８】詳細な図において、保持ツールを示しており、保持ツールの下端部には、ねじ接続の締付けの間のカウンター保持作用のためのツールが配置されている。
【図９】保持ツールを１つの視点で示している。
【図１０】部分的な断面図において、ねじ接続を締め付けるための液圧ツールを示しており、ツールは、フランジ接続の上側まで下降させられかつフランジ接続の上側に設置された位置において示されている。
【図１１】保持ツールがツールと組み合わされた別の実施の形態における液圧ツールを示している。
【図１２】保持ツールが液圧ツールの中央に配置されたさらに別の実施の形態における液圧ツールを示している。
【００３２】
ねじ接続を締め付けるための装置は、可動ユニット１、空間的に別個に配置された静止ユニット２、および可動ユニット１と静止ユニット２との間のケーブルライン、特に供給および信号ケーブル３から構成される。可動ユニット１の構成部分は、ねじ接続を締め付けるためのツール５である。ここでより詳細に説明される典型的な実施の形態において、ツールは、液圧式に作動されるねじテンショニングシリンダ５である。装置のエネルギ供給部が、静止ユニット２に配置されている。静止ユニット２の別の構成部分は、電子制御ユニット４である。電子制御ユニット４自体は、特に、移動制御モジュール４Ａおよびドキュメンテーションモジュール４Ｂを有する。ドキュメンテーションモジュール４Ｂには、各個々の締め付けられるねじ接続のためのデータセットが記憶されており、このデータセットは、これにより、ねじ接続プロセスの最も重要な特性データの後のチェックを許す。
【００３３】
ツール５は、駆動装置によって可動なキャリッジ６に、高さ調節可能なように配置されている。したがって、キャリッジ６は、装置のツールキャリアである。
【００３４】
キャリッジまたはツールキャリアは、そこに取り付けられたローラによって、タワータイプ風車の構成部分であるリング状フランジ接続７に沿って異なる周方向位置へ移動させられるように構成されており、これにより、これらの各位置において、そこに配置されたねじ接続を締め付ける、再締付けするまたは緩める。
【００３５】
フランジ接続７は、この場合、上側リング状フランジ７Ａおよび下側リング状フランジ７Ｂから成るダブルフランジである。下側リング状フランジ７Ｂは、前記上側リング状フランジに対して好ましくは面で接触している。上側リング状フランジ７Ａは、上側リング状タワー部分８Ａの下縁部に配置されている。下側リング状フランジ７Ｂは、下側リング状タワー部分８Ｂの上縁部に配置されている。タワー部分８Ａ，８Ｂは、別の同様のタワー部分と共に、風車の鉛直のタワーを形成している。１５０ｍ以下の高さを有するこのような風車は、組立ての理由からタワー部分から成る。これらのタワー部分は、実質的に円筒状であり、フランジ接続７によって包囲された円形のスペース９を包囲している。タワー部分は、上方へ円錐形に狭窄していてもよい。
【００３６】
タワー部分は、それぞれの上側タワー部分８Ａに形成されたリング状フランジ７Ａと、それぞれそのすぐ下側に配置されたタワー部分８Ｂに形成されたリング状フランジ７Ｂとによってねじ留めされている。２つのリング状フランジから成るフランジ接続７は、複数のねじ接続によって保持されている。これらは、それぞれ周囲にわたって均等な間隔で分布させられるように配置されている。
【００３７】
各ねじ接続１０は、ボルト状ねじ山付きエレメント１１と、ねじ山付きエレメント１１のねじ山付き部分に螺合させられたねじ山付きナット１２とから成る。ねじ山付きナット１２は、その底側において、リング状フランジ７Ａの好ましくは平坦な上側において支持されている。
【００３８】
典型的な実施の形態では、ねじ山付きエレメント１１は、フランジ接続７の下側リング状フランジ７Ｂに対して下方から、半径方向に拡大したカラーまたはヘッドを備えるねじの形式で支持されるように構成されている。
【００３９】
ねじ接続の場合に慣用的であるように、ワッシャが、ねじ山付きナット１２と上側リング状フランジ７Ａとの間に付加的に配置されてもよい。
【００４０】
ねじ接続１０は、スペース９の周囲に、すなわちフランジ接続７に沿って均等に、すなわち均等な間隔で分布させられるように配置されている。すぐに続くねじ接続のねじ接続軸線に対する、１つのねじ接続のねじ接続軸線の周方向間隔は、これにより、常に同じである。したがって、ねじ接続１０の軸線が配置されているリングの、スペース９の中央に関する半径が分かっているならば、ねじ接続の総数も同様に分かり、ねじ接続の軸線の間の周方向の距離を数学的に求めることができる。これらの幾何学的な仕様は、ツール５が配置されたキャリッジ６を、フランジ７の範囲に沿って個々の作動位置へ移動させるために利用され、各作動位置は、ツール５が、それぞれ締め付けられるべきねじ接続の軸線の上方にかつ当該軸線と整列して配置されているという特徴を有する。
【００４１】
装置において使用されるツール５は、液圧式トルクドライバ、電気スクリュドライバまたはねじテンショニングシリンダである。
【００４２】
これに関して、ねじテンショニングシリンダの変形態様を、図１０に基づき以下により詳細に説明する。前記ねじテンショニングシリンダは、特にねじ接続の再締付けの間、実質的にねじれなしねじテンショニングプロセスが、すなわちねじ長さにわたる比較的高いねじり力の発生なしに達成されるという特徴を有する。このために、ナット１２は、高い締め付けトルクによって直接的に回転させられるのではなく、ねじ山付きエレメント１１はむしろ、例えば液圧力によって長手方向に拡張させられ、これにより、ナット１２の下側が、リング状フランジ７Ａから離れるように移動させられる。このように拡張した状態において、ナット１２は、比較的小さなトルクで再締付けされる。このようなねじテンショニングシリンダ５、およびねじ山付きエレメント１１の延伸によるこのようなねじテンショニングプロセスを、さらに以下でより詳細に説明する。
【００４３】
全てのねじ接続１０は、それらのねじ接続軸線が、リング状フランジ７Ａの上側に対して直角かつタワー部分８Ａ，８Ｂの中心主軸線に対して平行になるように、延びている。
【００４４】
可動ユニット１の主エレメントは、ツールキャリア２０である。これをフランジ接続に沿って個々の作動位置へ移動させることができるために、ツールキャリア２０は、複数のローラを具備し、これらのローラは、幾つかの場合に駆動され、ひいては、ツールキャリア２０を推進し、幾つかの場合に駆動されず、すなわち移動の間に単に連動して転がる。
【００４５】
ここに示された典型的な実施の形態では、２つのローラ２１Ａ，２１Ｂが設けられており、２つのローラ２１Ａ，２１Ｂによってツールキャリア２０がフランジ接続７の上側に支持されている。ローラ２１Ａ，２１Ｂは、ツールキャリア２０における水平の回転軸に取り付けられている。ローラ２１Ａは、被駆動ローラであるのに対し、ローラ２１Ｂは、自由に連動して走行するローラである。ローラ２１Ａ，２１Ｂは、ツール５のものを含む、ツールキャリア２０およびツールキャリアに配置されたアセンブリの重量の力の主要な部分を支持する。ローラ２１Ａ，２１Ｂは大きな重量荷重に曝されるので、これらのローラのうちの少なくとも１つ、この場合はローラ２１Ａが駆動ローラであることが好都合である。
【００４６】
電気駆動モータ２４は、ローラ２１Ａを駆動し、ローラ２１Ａと共に、装置のトラクションドライブを形成している。トラクションドライブの駆動モータ２４は、被駆動ローラ２１Ａと同じ軸に配置されているのではなく、歯付きベルトまたはチェーンが、駆動モータ２４の回転を、駆動ローラ２１Ａの同じ、増大したまたは減少した速度の回転に変換する。しかしながら、利用できる十分なスペースが存在するならば、駆動モータ２４がローラ２１Ａと同じ軸に配置されることが可能である。トラクションドライブの駆動モータ２４は、制御ユニット４からトラクションドライブ制御信号を受信する。
【００４７】
切換え可能なクラッチ２５、好ましくは、電磁クラッチが、駆動モータ２４とローラ２４Ａとの間の駆動パスに配置されている。クラッチ２５は、同様に電子制御ユニット４から切換え信号を受信する。クラッチ２５が分離されているまたは作動停止させられていると、ローラ２４Ａはこれにより自由に回転可能にされ、これにより、ツールキャリア２０は、移動方向に自由に移動することができ、これにより可能な遊びは、それぞれのねじ接続１０のねじ接続軸線に対するツール５のセンタリングを単純化する。
【００４８】
ローラ２２も、ツールキャリア２０に取り付けられているが、これらは、実質的に鉛直の回転軸に取り付けられている。これらの付加的なローラは、タワー部分の内壁２３に対してキャリッジを支持する。ローラ２２は、ローラ２１Ａ，２１Ｂと比較して小さな重量荷重しか受けない。しかしながら、ローラ２２は、内壁２３に対して支持されており、これは、キャリッジの重心がローラ２１Ａ，２１Ｂの転がり線よりさらに外側に配置されているというローラ２１Ａ，２１Ｂの配置によって達成される。
【００４９】
付加的なローラ２２は、駆動されない、すなわち単に連動して回転する。ローラ２２のうちの少なくとも１つがスリップなし形式で角度エンコーダ２６に結合されていることが好ましい。角度エンコーダ２６は、ローラの角度信号の検出を許す。角度信号から、電子制御ユニット４のプロセッサは、内壁２３に沿ったツールキャリア２０の移動距離を計算する。これから、ひいては、プロセッサによって、ツールキャリア２０が、ねじ接続１０が配置されているリングに沿ってカバーするまたはカバーした距離を数学的に求めかつチェックすることができる。
【００５０】
キャリッジ６の横方向案内のために、好ましくは２箇所に設けられた整列エレメント３０が、底部においてツールキャリア２０に固定されている。整列エレメント３０には、移動方向に延びる整列面３０Ａが設けられており、整列面３０Ａの面垂線は、内方、ひいてはツールキャリアが付加的なローラ２２によって支持される方向と反対方向を向いている。整列面３０Ａは、作動中、整列面３０Ａがねじ山付きエレメント１１のねじ山付き端部１１Ａの高さにかつナット１２の上方に配置されるような高さにおいて、キャリッジ６に配置されている。前記整列面は、さらに、整列面が支持されることができるねじ山付き端部１１Ａの僅かに外側に配置されている。その結果、キャリッジ６の移動中、前記キャリッジは、ねじ山付き端部１１Ａの後側に支持され、これにより、キャリッジ６は、ローラ２１Ａ，２１Ｂによって規定された走行線から内方へ逸脱することができない。その他の方向、すなわち外方において、付加的なローラ２２が、既にキャリッジの必要な横方向案内を行う。
【００５１】
被駆動ツールキャリア２０の構成部分は、下側プラットフォーム３１、および下側プラットフォーム３１に対して固定して配置された上側プラットフォーム３２である。ローラ２１Ａ，２１Ｂは、下側プラットフォーム３１の下方に支持されている。キャリッジ６全体の容易な持上げおよび搬送のために、アイレットが上側プラットフォーム３２に取り付けられており、このアイレットにクレーンフックを係合させることができる。
【００５２】
ツール５を保持するスタンド３３が、下側プラットフォーム３１の上側における面に支持されている。スタンド３３は、ツール５の高さ調節のための鉛直方向ガイド３４として形成されている。
【００５３】
一方では、プラットフォーム３１の上側、他方では、スタンド３３のベースに、ツールキャリア２０の長手方向、ひいては移動方向に関して横方向の案内方向を備える横方向ガイド３５のエレメントが設けられている。低い摩擦で作動する横方向ガイド３５により、スタンド３３、ひいてはスタンド３３に配置されたツール５は、特にツールキャリアの移動方向に関して横方向に可動であるために、プラットフォーム３１に可動に取り付けられている。
【００５４】
プラットフォーム３１に関するスタンド３３の配置可能性は、横方向の力がないときにプラットフォーム３１に関する中央位置にスタンド３３を保持するばね配列３６によって補助されてもよい。これにより、横方向の力が、ツール５、ひいてはスタンド３３に作用しないとき、横方向ガイド３５によってかつばね配列３６の力を受けて案内される前記スタンドは、自動的に中央位置へ戻る。
【００５５】
スタンド３３は、ツール５の高さ調節のための鉛直方向ガイド３４を同時に形成している。このために、スタンドは、プラットフォーム３１に可動に配置されかつ横方向ガイド３５において案内されるスタンドベース４１、スタンドベースに堅く取り付けられた鉛直方向案内ロッド４２、前記ロッドの上端部を接続する上側スタンドフレーム４９、およびモータドライブによって高さが調節可能なスタンドフレーム５０から構成されている。上下に可動なスタンドフレーム５０は、鉛直方向ガイド３４の案内ロッド４２によって案内される。ツール５はスタンドフレーム５０に固定されている。
【００５６】
テンショニングプロセス自体のために、ツール５は適切に液圧式に作動する。しかしながら、自動ツール作動のために、少なくとも２つの電気駆動装置５１，５２も設けられている。２つの駆動装置５１，５２は、制御ユニットからのツール制御信号に従って作動する。第１の電気駆動装置５１は、ねじテンショニングシリンダに回転可能に配置された交換可能なソケットを駆動する。前記第１の電気駆動装置は、好ましくはねじテンショニングシリンダのシリンダハウジングの上部に配置されている。第２の電気駆動装置５２は、より低いところ、好ましくは、高さ調節可能なスタンドフレーム５０に配置されている。
【００５７】
第２の電気駆動装置５２は回転スリーブを駆動し、回転スリーブによってねじ山付きナット１２を、ポジティブにロックする作用によって回転方向でセットすることができる。第２の駆動装置５２は、スタンド３３に対して、スタンドフレーム５０、ひいてはツール５を昇降させるように付加的に設計されていてもよく、これは、典型的な実施の形態において、案内ロッド４２に対して平行に配置されたねじ駆動装置５６によって実現され、このねじ駆動装置に第２の駆動装置５２の駆動軸を結合することができる。
【００５８】
したがって、第２の駆動装置５２は２つの機能を有する。制御ユニットからの対応するツール制御信号に従って、前記第２の駆動装置を、回転スリーブまたねじ駆動装置５６に結合することができる。
【００５９】
ねじ接続１０の締付け、再締付けまたは緩めの間、原理的に、ねじ山付きエレメント１１が望ましくない形式で連動して回転するという状況が生じることがありうる。テンショニングプロセスの間、これを防止するために、ツールキャリア２０において、締付けツールが配置されているのみならず、カウンターホルダとして機能する保持ツール７０も配置されている。保持ツール７０の構成部分は、少なくとも１つのカウンター保持面７５である。このカウンター保持面７５を、ねじ山付きエレメント１１の半径方向に拡大した部分における表面、例えば、それによってねじ山付きエレメント１１がフランジ接続７の下側に取り付けられる六角形の表面に対して支持することができる。このように実現されるポジティブロッキングは、ねじ接続１０の締付け、再締付けまたは緩めの間、ねじ山付きエレメント１１の連動する回転を防止する。
【００６０】
カウンター保持面７５をねじ山付きエレメント１１の半径方向に拡大した部分における表面と係合させるために、保持ツール７０を、受動位置と、能動位置と、カウンター保持位置との間で前後に移動させる目的のために下側プラットフォーム３１に電気駆動装置７７が配置されている。能動位置のみにおいて、カウンター保持面７５は、ねじ山付きエレメント１１の対応する面、特に六角形の面に対して当接する。制御ユニット４のプロセッサは、保持ツール制御信号によって電気駆動装置７７を制御するように構成されている。
【００６１】
示された実施の形態では、保持ツール７０のツール部分７９は、２つの相互に平行なカウンター保持面７５が互いに対向して配置された開放式スパナ状に構成されている。
【００６２】
この場合、保持ツール７０の駆動装置７７は、ねじ接続の軸線に関して横方向に作動する。保持ツール７０を前後に移動させるための駆動装置７７は、ここに示された実施の形態では、歯付きラック駆動装置の形式である。代替的に、図示されていない形式において、保持ツールの駆動装置が、ねじ接続１０の軸線に対して平行に、すなわち鉛直方向に作動することが可能である。
【００６３】
保持ツール７０は、駆動側において駆動装置７７に接続されたツール本体７８と、カウンター保持面７５が形成されたツール部分７９とを有する。ツール部分７９は、ばね８０の力に逆らって可動であるようにツール本体７８において案内されている。したがって、保持ツール７０がねじ山付きエレメント１１に対して移動させられると、ばね８０は、前記部分が、ポジティブロッキング作用を許す互いに対する回転位置を占めるまで、ツール部分７９を保持する。これは、なぜならば、関与させられる部分の相対回転の結果、ある時点で、カウンター保持面７５が確実にかつばね圧力を受けてポジティブにロックする形式でラッチすることができる回転位置が達せられ、そうすることにより、係合状態になるからである。
【００６４】
ツール部分７９が荷重を受けていないとき、すなわち、ねじ山付きエレメントにおける当接またはポジティブロッキングが存在しないとき、ツール部分７９は、ばね８０の力を受けて、ツール本体７８に配置されたストッパ８１に対して支持される。
【００６５】
ローラ２１Ａ，２１Ｂはキャリッジまたはツールキャリア２０の起立平面Ｅを規定しているので、保持ツール７０の駆動装置７７は前記起立平面Ｅの上方に配置され、駆動装置は、好ましくは、プラットフォーム３１に取り付けられている。そこから、ツール本体７８は、起立平面Ｅを越えてツール部分７９まで延びている。前記ツール部分は、フランジ接続７の下方の位置に配置されている。
【００６６】
ツール本体７８の長さ、ひいてはツール部分７９の基本位置を手動で設定することができる。このように設定された位置は、締付けねじによって固定される。
【００６７】
保持ツール７０の駆動装置７７も、制御ユニット４からの制御信号によって、特に保持ツール制御信号によって制御される。制御は、ツールキャリア２０が、ツール５の軸線がそれぞれのねじ山付きエレメント１１の軸線と整列させられる作動位置を占めたとき、保持ツール７０が静止位置から作動位置へ最も早く移動させられるようになっている。
【００６８】
装置の実際の作動の間、静止ユニット２は、スペース９内の適切な位置において、可動ユニット１、すなわちキャリッジから空間的に別個に位置決めされる。この位置は、例えば、中間フロアであってもよいまたは保守人員のための固定して取り付けられたはしごであってもよく、このはしごはタワーの個々のレベルを接続する。しかしながら、静止ユニット２がスペース９内でできるだけ中央に配置されることが好ましい。したがって、静止ユニット２のアセンブリおよび装置を適切な供給および信号ケーブル３によってキャリッジ６に接続する必要がある。静止ユニット２は、例えば、トラクションドライブ、全てのその機能を含むツール５および保持ツール７０へのエネルギ供給のためのエネルギモジュール８８またはエネルギモジュールを含む。
【００６９】
制御ユニット４は、静止ユニット２の構成部分でもある。制御ユニット４は、特に、トラクションドライブ制御信号によって、ツールキャリア２０をツールキャリア２０の長手方向に、ツール５が、それぞれ締め付けられるねじ接続と対向して配置される作動位置へ移動させ、ツール制御信号によって、ねじ接続の締付けおよびナットの回転を行うように設計されている。
【００７０】
制御ユニット４は、好ましくは、エネルギモジュール８８に配置されているまたはエネルギモジュール８８と共にキャリアに配置されている。図１および図２の実施の形態では、静止ユニット２は、箱を形成するように組み合わされる。箱の下側のローラおよび箱上のハンドルは、前記箱が搬送中に取り扱われることをより容易にする。
【００７１】
エネルギの供給のために、エネルギ供給ラインは、エネルギモジュール８８からツールキャリア２０まで通じている。これらのエネルギ供給ラインは、例えば、ツールキャリア２０、ツール５および保持ツール７０の様々な電気駆動装置への電気の供給のための電気ケーブルを含む。電流ディストリビュータは、エネルギモジュール８８の構成部分であってもよい。
【００７２】
供給ケーブルは、さらに、液圧式に駆動されるツール５への供給のための液圧ライン８７を含む。関連する液圧ポンプ８６も、静止ユニット２の構成部分である。
【００７３】
トラクションドライブ制御信号、ツール制御信号、保持ツール制御信号およびクラッチ切換え信号の伝送のために、さらに、制御ユニット４とツールキャリア２０との間に少なくとも１つの信号ラインが設けられている。しかしながら、信号接続は、ケーブルフリーまたはワイヤレスであってもよい。
【００７４】
静止ユニット２とキャリッジ６との間の、供給および信号ケーブル３として組み合わされた前記ラインは、可能である場合にかつ少なくともその長さの一部にわたって、平行にかつ機械的に接続された形式で導かれている。
【００７５】
ケーブル３の案内のために、装置の構成部分は、ピボットスタンド９５であり、ピボットスタンド９５は、１つまたは複数の鉛直方向旋回軸線を備えて、スペース９においてできるだけ中央に取り付けられている。ピボットスタンド９５は、スペース９内でのその取付けのために、取付け手段、例えば、螺合させることができるブラケットを具備する。供給および信号ケーブル３は、ピボットスタンド９５に取り付けられている。前記ピボットスタンドは、少なくとも約３６０°の回転角度にわたってスペース９内でケーブル３を支持するように設計されており、これにより、ケーブル３は、フランジの全周にわたってキャリッジ６の移動に追従することができる。
【００７６】
スペース９における固定具および障害物が３６０°全体にわたってケーブル３の移動を妨げないように、そこで終わっている供給および信号ケーブル３の部分が、ツールキャリア２０に対して移動方向に移動させられるための設備が、ツールキャリア２０に設けられている。この目的のために、ツールキャリア２０は、その上側プラットフォーム３２において、ツールキャリア２０の移動方向に可動なスライド９６を具備する。スライド９６には開口が設けられており、この開口を通って、ケーブル３が、キャリッジまたはツールキャリア２０の内部へ進入している。開口を備えたスライド９６は自由に可動であり、これにより、スライドの位置に応じて、ケーブル３は、キャリッジの内部へ、さらに前方に向かってまたはさらに後方に向かって延びている。
【００７７】
図１０は、液圧式に操作されるねじテンショニングシリンダ５を示しており、このねじテンショニングシリンダ５は、この場合、ツールを形成しており、図１および図２に示されたねじ接続１０の締付け、特に再締付け、および場合によっては緩めのために機能する。ねじテンショニングシリンダは、液圧の適用前の作動位置において示されている。この位置において、前記ねじテンショニングシリンダは、その底側１０２においてリング状フランジ７Ａに対して支持される程度まで下降させられている。
【００７８】
ねじテンショニングシリンダ５によって、所定の予荷重力を、ボルト長手方向にねじ山付きエレメント１１に加えることができ、これにより、ねじ山付きエレメント１１は僅かに拡大し、この状態において、ねじ接続のねじ山付きナット１２は締め付けられるまたは再締付けされる。
【００７９】
ねじテンショニングシリンダ５のシリンダハウジング１００に回転可能に配置された交換可能なソケット１１４の一方の端部には、雌ねじ山１１６が設けられている。このねじ山によって、交換可能なソケット１１４は、テンショニングプロセスの開始前に、ナット１２を越えて上方へ突出したねじ山付きエレメント１１の自由なねじ山付き端部１１Ａへ、交換可能なソケット１１４の回転によって螺合させられる。交換可能なソケット１１４のこのねじ込みは、底側１０２が、リング状フランジ７Ａに当接するまで、ねじテンショニングシリンダ５全体の対応する下降にも関連させられている。なぜならば、交換可能なソケットは、シリンダハウジング１００に対して全くまたはほとんど長手方向遊びを有さないからである。
【００８０】
その後、このようにねじ山付きエレメント１１と螺合させられた交換可能なソケット１１４は、緊張した状態に液圧式に配置され、これにより、ねじ接続は、長手方向に拡張する。ねじ山付きナット１２の接触面１２Ａはこれにより離反し、これにより、ねじ山付きナット１２を、僅かな回転抵抗で回転させることができ、これにより、その下側にある面、すなわち、リング状フランジ７Ａおよび場合によってはワッシャに対して締め付けるまたは再締付けすることができる。
【００８１】
液圧式テンショニング機構は、耐圧シリンダハウジング１００に配置されている。これは、複数のシリンダ部分からモジュール形式で組み立てられてもよい。シリンダハウジング１００の剛性の継続部分は、支持管１０１である。これ自体は、例示したようにシリンダハウジング１００の一部または別個の構成部材である。支持管１０１は、ねじ接続に向かって開放しており、ねじ山付きナット１２を包囲しておりかつ底側１０２によってリング状フランジ７Ａの上側に対して支持されている。したがって、前記上側は、締付けプロセスの間、カウンタベアリングを形成する。締付けプロセスは、交換可能なソケット１１４をねじ山付き端部１１Ａにおいて引っ張ることによって行われ、ナット１２の再締付けのために、ナット１２は、その接触面１２Ａによって再びフランジ７Ａに対してしっかりと当接するまで下方へねじ込まれる。
【００８２】
支持管１０１には、少なくとも１つの開口が設けられており、この開口は、開口を通じてナット１２を回転させる、ひいては再締付けすることができるようなサイズのものである。これは、自明のことながら、テンショニング装置が同時に作動しており、したがって、ナット１２が、かなりの摩擦荷重を受けないときにのみ可能である。ねじ山付きナット１２の回転は、ナットを包囲する回転スリーブ１１０によって行われる。回転スリーブ１１０は、ギアリング１１１によって駆動され、ギアリング１１１は、支持管１０１に横方向に取り付けられており、その開口を通じて作動する。
【００８３】
シリンダハウジング１００には液圧ポート１１２が設けられており、この液圧ポート１１２を介して、ツールの内部における液圧作動チャンバ１１８が、柔軟であるが耐圧性の液圧ライン８７を介して、液圧ポンプ８６（図１）に接続されている。液圧ポンプ８６は、静止ユニット２の構成部分である。
【００８４】
液圧ポート１１２を介して、大きく加圧された液圧流体は作動チャンバ１１８に進入し、これにより、シリンダハウジング１００において長手方向に可動な形式で取り付けられたピストン１１５に液圧が作用することができる。液圧作動チャンバ１１８における液圧力の増大の結果、ピストン１１５は押し上げられる。これは、ピストン１１５に作用するばね１１７の力に逆らって行われる。ばね１１７は、ピストン復元ばねとして機能し、ピストンを、液圧作動チャンバ１１８が最小容積を有する基本位置に保持しようとする力をピストン１１５に直接加える。
【００８５】
ピストン１１５は、交換可能なソケット１１４をリング状に包囲している。ピストン１１５の内縁には全周にわたる段部が設けられており、この段部はドライバ面１２１を形成しており、このドライバ面１２１に、交換可能なソケット１１４が、半径方向に拡大した部分１２５によって支持される。これにより、交換可能なソケット１１４を、ピストン１１５によって駆動することができる。圧力荷重がないとき、交換可能なソケット１１４は、ピストン１１５およびシリンダハウジング１００に対して自由に回転可能である。
【００８６】
交換可能なソケット１１４は、ピストン１１５と同様に、シリンダハウジング１００の長手方向軸線上に中央に配置されており、ねじ山付きエレメント１１のねじ山付き端部１１Ａに螺合させられる雌ねじ山１１６を有する部分と、半径方向に拡大した部分１２５と、駆動部分１２６とから、述べた順に構成されている。駆動部分１２６は、ねじ山付きエレメント１１と反対側の交換可能なソケット１１４の端部に配置されている。
【００８７】
駆動部分１２６は、制御ユニットからツール制御信号に依存した形式で作動させられる電気駆動装置５１の軸によって係合され、これにより、テンショニングプロセスの前に、交換可能なソケット１１４を回転させて、シリンダハウジング１００全体が下降させられながら、これをねじ山付き端部１１Ａにねじ込む、またはテンショニングプロセスの後、シリンダハウジング１００全体が上昇させられながら、前記交換可能なソケットをねじ山付き端部１１Ａからねじ外す。
【００８８】
テンショニングプロセスの前後に、シリンダハウジング１００のより広範囲な高さ調節、すなわち、交換可能なソケット１１４の回転のみによって実現することができない高さ調節が必要とされるならば、この付加的な高さ調節は、電気的に駆動される鉛直方向ガイド３４によって行われる。これもまた、制御ユニット４からの制御信号、特にツール制御信号に依存した形式で作動する。
【００８９】
交換可能なソケット１１４がねじ山付き端部１１Ａにねじ込まれたときにのみ、液圧テンショニングプロセスは、制御ユニット４からの液圧制御信号に基づいて液圧ポンプ８６が液圧を上昇させることによって制御ユニット４によって開始される。
【００９０】
交換可能なソケット１１４の制御された、モータ駆動されるねじ込みおよびねじ外しも、制御ユニット４からのツール制御信号に従って行われる。
【００９１】
図１１は、連動した回転を防止するための固定作用を付与する保持ツール７０と、ツール５とが、キャリッジまたはツールキャリアにおいて組み合わされた状態で配置されている実施の形態を示している。
【００９２】
保持ツール７０は、ツールキャリア２０、この場合、ツールキャリア２０の下側プラットフォーム３１に固定されており、ねじ接続軸線と整列して互いに向かって可動な２つの締付けジョー１３０を有する。前記締付けジョーの端部は、ここではカウンター保持面７５Ａ，７５Ｂによって形成されており、この目的のためにシェルとして設計されている。シェルの半径は、ねじ山付きエレメント１１のねじ山付き部分１１Ａの半径と実質的に等しい。
【００９３】
２つの締付けジョー１３０は電気的に駆動され、再び、制御ユニット４（図１）は、保持ツール制御信号によってこの駆動作用を制御するように構成されている。この実施の形態において、カウンター保持面７５Ａ，７５Ｂがねじ山付き部分に直接的に押し付けられるために、保持ツール７０の駆動装置は、比較的高い圧力を生じなければならない。ここで、摩擦抵抗を付加的に増大させるために、カウンター保持面７５Ａ，７５Ｂは、適切な摩擦ライニング、例えばゴムまたは適切な非平滑面を有してもよい。例えば、前記面は、連動した回転を防止するための実質的なブロッキングが実現されるようにねじ山の外側構造に対するその構造の観点から適応させられてもよい。
【００９４】
保持ツール７０の締付けジョー１３０は、ツール５における開口１３１を通って延びており、カウンター保持面７５Ａ，７５Ｂはツール５内に配置されている。締付けジョー１３０は、ツールキャリアに固定して取り付けられた保持ツール７０において案内されており、前記締付けジョーが、駆動装置において、それらの締付け方向においてのみ可動になっている。
【００９５】
開口１３１は、ツール５の支持管１０１に配置されている。これらは、支持管１０１の底側１０２まで連続的に延びている。これにより、ツール５が、テンショニングプロセスのために下降させられたとき、保持ツール７０の構成部材によって妨げられないことが保証される。ツール５および保持ツール７０は、適切に構造的に組み合わされているが、それらの機能は互いに別々である。
【００９６】
図１１の実施の形態は、実際に、しばしばまだナット１２の上側と、交換可能なソケット１１４によって包囲されたねじ山付き端部１１Ａとの間に約５ｍｍのねじ山長手方向部分が利用できることを利用する。このねじ山長手方向部分は、ねじ山付きエレメント１１の連動した回転が、そこで一緒に移動させられる締付けジョー１３０によって防止されるために十分である。
【００９７】
図１１の実施の形態において、制御ユニット４（図１）は、トラクションドライブ制御信号によって、ねじテンショニングシリンダ５を含むツールキャリア２０を、ねじテンショニングシリンダ５が、それぞれ締め付けられるねじ接続に対向して配置される作動位置へ移動させ、ツール制御信号によって、ねじ接続の軸方向締付けおよびナット１２の回転を制御するように構成されていてもよい。制御ユニット４（図１）は、保持ツール制御信号によって保持ツール７０の駆動装置を制御するように付加的に設計されている。
【００９８】
図１２は、別の実施の形態を示す図である。これにおいて、連動した回転を防止するための固定作用を付与する保持ツール７０は、ねじテンショニングシリンダとして形成されたツール５に中央で配置されている。ねじテンショニングシリンダ自体は、その基本構造の観点では図１０または図１１の実施の形態に対応する。これは、シリンダハウジング１００、そこで案内されるピストン、ただし、この場合、ダブルピストン１１５、シリンダハウジングにおいて回転可能な交換可能なソケット１１４、およびシリンダハウジングに回転可能に配置されておりかつナット１２を回転させるために機能する回転スリーブ１１０に当てはまる。
【００９９】
図１２において、交換可能なソケット１１４の長手方向軸線において、ロッド１４０が配置されており、その目的のために、交換可能なソケット１１４には対応する長手方向ボアが設けられている。単一部分または複数部分のロッド１４０には、図１２における下端部において、保持ツール７０が設けられており、図１２における上端部の領域において、回転防止固定手段１４１が設けられている。回転防止固定手段１４１は、シリンダハウジング１００に対して回転方向で固定されたロッド１４０を保持する。典型的な実施の形態において、これは、ロッド１４０における長手方向溝１４３内に係合したハウジングに関して固定されたボルト１４２によって達成される。長手方向溝１４３は、ロッド１４０の長さの一部にわたってのみ軸方向に延びている。
【０１００】
図１２の実施の形態は、ねじ接続に適しており、その場合、ねじ山付きエレメント１１には、付加的に、ねじ山付き端部１１Ａの面側において、多角形１１Ｂが設けられている。多角形１１Ｂは、この場合、軸方向に突出した正方形であるが、例えば、六角形またはねじ山付き端部１１Ａに凹形状に形成された正方形ソケットまたは六角形ソケットであってもよい。
【０１０１】
保持ツール７０は、対応する多角形として、すなわち、この場合、ポジティブロッキングによって多角形１１Ｂに結合することができる正方形ソケットとして設計されている。保持ツール７０を形成するために、ロッド１４０の下端部は、対応して拡大されている。
【０１０２】
保持ツール７０は、軸方向で、かつ永久ばね力を受けて、多角形１１Ｂに対して支持されている。ばね力は、ばねエレメント１４７によって付与され、ばねエレメント１４７は、一方の側において保持ツール７０またはロッド１４０に対して、他方の側において交換可能なソケット１１４に対して支持されている。ばねエレメント１４７は、保持ツール７０の常在的な軸方向予荷重力を提供するように機能し、これにより、多角形１１Ｂにおける保持ツール７０の確実な係合が、既に短い相対回転の後に生じる。この目的のために必要とされる軸方向間隙は、長手方向溝１４３の長さによって保証される。
【０１０３】
図１２におけるツール５の別の構成部分は、交換可能なソケット１１４を回転させるための駆動装置５１である。しかしながら、駆動装置は、長手方向軸線上において中央に実現されていない。なぜならば、ロッド１４０がそこに配置されているからである。駆動装置５１はむしろ横方向オフセットで配置されており、ギアリング１４８が、駆動装置５１と交換可能なソケット１１４との間の駆動パスに設けられている。ギアリング１４８の構成部分は、交換可能なソケット１１４に関して回転方向で連動する歯付きギア１４９である。歯付きギア１４９は、通過開口１５０を有し、この通過開口１５０を通ってロッド１４０が、自由に回転可能な形式で延びている。
【０１０４】
図１２の実施の形態における場合でも、制御ユニット４（図１）は、トラクションドライブ制御信号によって、ねじテンショニングシリンダ５を含むツールキャリア２０を、ねじテンショニングシリンダ５が、それぞれ締め付けられるねじ接続に対向して配置される作動位置へ移動させるように構成されていてもよい。さらに、制御ユニット４は、ツール制御信号によって、ねじ接続の軸方向締付けおよびナット１２の回転を制御するように構成されていてもよい。
【０１０５】
さらに、図１２の実施の形態の場合にも、制御ユニット４（図１）は、保持ツール制御信号および対応する駆動装置によって、ロッド１４０に堅く配置された保持ツール７０が、制御された形式でねじ接続へ下降させられかつ駆動装置によって再び制御された形式で上昇させられることによって、保持ツール７０を制御するように構成されていてもよい。しかしながら、保持ツールの制御された下降および上昇の機能は、ばねエレメント１４７によって行われてもよい。
【符号の説明】
【０１０６】
１  可動ユニット
２  静止ユニット
３  ケーブル、供給および信号ケーブル
４  制御ユニット
４Ａ  移動制御モジュール
４Ｂ  ドキュメンテーションモジュール
５  ツール、ねじテンショニングシリンダ
６  キャリッジ
７  フランジ接続
７Ａ  リング状フランジ
７Ｂ  リング状フランジ
８Ａ  タワー部分
８Ｂ  タワー部分
９  スペース
１０  ねじ接続
１１  ねじ山付きエレメント
１１Ａ  ねじ山付き端部
１１Ｂ  多角形
１２  ナット
１２Ａ  ナットの接触面
２０  ツールキャリア
２１Ａ  ローラ、被駆動
２１Ｂ  ローラ
２２  ローラ
２３  内壁
２４  駆動モータ
２５  クラッチ
２６  角度エンコーダ
３０  整列エレメント
３０Ａ  整列面
３１  下側プラットフォーム
３２  上側プラットフォーム
３３  スタンド
３４  鉛直方向ガイド
３５  横方向ガイド
３６  ばね配列
４１  スタンドベース
４２  案内ロッド
４９  上側スタンドフレーム
５０  スタンドフレーム、高さ調節可能
５１  電気駆動装置
５２  電気駆動装置
５６  ねじ駆動装置
７０  保持ツール
７５  カウンター保持面
７５Ａ  カウンター保持面
７５Ｂ  カウンター保持面
７７  駆動装置
７８  ツール本体
７９  ツール部分
８０  ばね
８６  液圧ポンプ
８７  液圧ライン
８８  エネルギモジュール
９５  ピボットスタンド
９６  スライド
１００  シリンダハウジング
１０１  支持管
１０２  底側
１１０  回転スリーブ
１１１  ギアリング
１１２  液圧ポート
１１３  ボルトにおける円錐
１１４  交換可能なソケット
１１５  ピストン
１１６  雌ねじ山
１１７  ばね
１１８  液圧作動チャンバ
１２１  ドライバ面
１２５  半径方向に拡大した部分
１２６  駆動部分
１３０  締付けジョー
１３１  開口
１４０  ロッド
１４１  回転防止固定手段
１４２  ボルト
１４３  長手方向溝
１４７  ばねエレメント
１４８  ギアリング
１４９  歯付きギア
１５０  通過開口
Ｅ  起立面
Ｎ  面垂線
【図１】
2019171564.tif 000003
【図２】
2019171564.tif 000004
【図３】
2019171564.tif 000005
【図４】
2019171564.tif 000006
【図５】
2019171564.tif 000007
【図６】
2019171564.tif 000008
【図７】
2019171564.tif 000009
【図８】
2019171564.tif 000010
【図９】
2019171564.tif 000011
【図１０】
2019171564.tif 000012
【図１１】
2019171564.tif 000013
【図１２】
2019171564.tif 000014
【外国語明細書】
2019171564.tif 000015
2019171564.tif 000016
2019171564.tif 000017
2019171564.tif 000018
2019171564.tif 000019
2019171564.tif 000020
2019171564.tif 000021
2019171564.tif 000022
2019171564.tif 000023
2019171564.tif 000024
2019171564.tif 000025
2019171564.tif 000026
2019171564.tif 000027
2019171564.tif 000028
2019171564.tif 000029
2019171564.tif 000030
2019171564.tif 000031
2019171564.tif 000032
2019171564.tif 000033
2019171564.tif 000034
2019171564.tif 000035
2019171564.tif 000036
2019171564.tif 000037
2019171564.tif 000038
2019171564.tif 000039
2019171564.tif 000040
2019171564.tif 000041
2019171564.tif 000042
2019171564.tif 000043
2019171564.tif 000044
2019171564.tif 000045
2019171564.tif 000046
2019171564.tif 000047
2019171564.tif 000048
2019171564.tif 000049
2019171564.tif 000050
2019171564.tif 000051